(57)【要約】      （修正有）【課題】季節の寒暖に合わせて、掛け布団と、相掛け布団又は肌掛け布団のいずれかと自由に組み合わせて使用できる掛け布団を提供する。【解決手段】掛け布団と、掛け布団の上側に相掛け布団２又は肌掛け布団３のいずれか一つを重ね合わせた組み合わせ掛け布団であって、掛け布団は、左右両側縁の一方側縁に雄型係止具を、他方側縁に雌型係止具を備え、相掛け布団２又は肌掛け布団３は、左右両側縁の一方側縁に雄型係止具２ａ、３ａを、他方側縁に雌型係止具２ｂ、３ｂを備えていて、掛け布団の雄型係止具と、相掛け布団２又は肌掛け布団３の雌型係止具２ｂ、３ｂと係合させ、掛け布団の雌型係止具と、相掛け布団２又は肌掛け布団３の雄型係止具２ａ、３ａとで係止させて重ね合わせる。【選択図】図２
0003195539.tif 000002
【実用新案登録請求の範囲】
【請求項１】
掛け布団と、前記掛け布団の上側に相掛け布団又は肌掛け布団のいずれか一つを重ね合わせた組み合わせ掛け布団であって、
前記掛け布団は、左右両側縁の一方側縁に雄型係止具を、他方側縁に雌型係止具を備え、
前記相掛け布団又は肌掛け布団は、左右両側縁の一方側縁に雄型係止具を、他方側縁に雌型係止具を備えていて、
前記掛け布団の雄型係止具を、前記相掛け布団又は肌掛け布団の雌型係止具と係合させ、前記掛け布団の雌型係止具を、前記相掛け布団又は肌掛け布団の雄型係止具と係止させて重ね合わせたことを特徴とする組み合わせ掛け布団。
【考案の詳細な説明】
【技術分野】
【０００１】  本考案は、掛け布団と、前記掛け布団の上側に相掛け布団又は肌掛け布団のいずれか一つを重ね合わせた組み合わせ掛け布団に関するものである。
【背景技術】
【０００２】  地球温暖化により気温差が著しく変化する昨今では、就寝時に使用する掛け布団の選択に頭を痛めることが多い。特に、一枚の掛け布団では肌寒く感じるときなどは、掛け布団の上側に薄手の相掛け布団又は肌掛け布団を重ねて使用したいときもあり、上下二枚に重ねて使用すると、上側に重ねた相掛け布団又は肌掛け布団が就寝中にずれ動くという問題がある。【０００３】  このような問題に対して、羽毛等を充填した袋体を掛け布団の内部に出し入れ可能にした掛け布団がある（例えば、下記特許文献１）。
【先行技術文献】
【特許文献】
【０００４】
【特許文献１】特開平９−４７３４３号公報
【考案の概要】
【考案が解決しようとする課題】
【０００５】  ところで、特許文献１の従来の掛け布団は、羽毛等を充填した袋体を掛け布団の内部に挿入するので就寝時にずれ動くことはなく、上半身を温かくしたいようなときは重宝するが、掛け布団の挿入部の広さ、大きさに合わせた袋体を設計しなければならず、前記袋体を挿入した箇所が膨らんで就寝時に重く感じるなどの問題がある。また、利用者によっては、寒暖差によっては身体全体を温めたい場合もある。【０００６】  そこで、本考案は、掛け布団と、相掛け布団又は肌掛け布団のいずれかと一つと自由に組み合わせて使用できる組み合わせ掛け布団を提供することにある。
【課題を解決するための手段】
【０００７】  この考案は、掛け布団と、前記掛け布団の上側に相掛け布団又は肌掛け布団のいずれか一つを重ね合わせた組み合わせ掛け布団であって、前記掛け布団は、左右両側縁の一方側縁に雄型係止具を、他方側縁に雌型係止具を備え、前記相掛け布団又は肌掛け布団は、左右両側縁の一方側縁に雄型係止具を、他方側縁に雌型係止具を備えていて、前記掛け布団の雄型係止具を、前記相掛け布団又は肌掛け布団の雌型係止具と係合させ、前記掛け布団の雌型係止具と、前記相掛け布団又は肌掛け布団の雄型係止具とで係止させて重ね合わせたことを特徴とする組み合わせ掛け布団とした構成にある。
【考案の効果】
【０００８】  前記構成の組み合わせた掛け布団によれば、季節の寒暖差に応じて掛け布団及び相掛け布団、或いは、掛け布団及び肌掛け布団の組み合せが自由に行え、しかも、二枚に重ね合わせてもずれ動くことはなく、身体全体が温められ心地よい就寝が約束される。【０００９】  また、起床時又は季節によって不要になった前記掛け布団等を押入れ等に収納する際には、左右両側縁の一方側縁に設けた雄型係止具と他方側縁に設けた雌型係止具を重ねて係止することで簡単に二つ折りにたたんで収納できるのでとても便利である。
【図面の簡単な説明】
【００１０】
【図１】掛け布団を示す斜視図
【図２】相掛け布団及び肌掛け布団を示す斜視図
【図３】掛け布団の上側に相掛け布団の重ね合わせを説明する斜視図
【図４】掛け布団を折り畳んだ状態図
【考案を実施するための形態】
【００１１】  以下、本考案の一実施例について図面を参照にしながら説明する。
【００１２】  図１は、掛け布団１を示す斜視図であって、左右両側縁の一方側縁Ａに雄型係止具１ａを、他方側縁Ｂに雌型係止具１ｂをそれぞれ所定位置に取り付ける。雄型係止具１ａ及び雌型係止具１ｂは、雄雌の着脱が容易な樹脂製又は金属製の凸部又は凹部を有する係止具であれば良いが、図示のようなスナップ又はホックを使用することができる。前記係止具の大きさは、掛け布団の外観を損なわない程度がよく、シングルサイズ、ダブルサイズ、キングサイズの大きさに応じた個数とすることが望ましい。
【００１３】  図２は、相掛け布団２及び肌掛け布団３を示す斜視図であって、相掛け布団２又は肌掛け布団３は、前記掛け布団の雄型係止具１ａと係止させる雌型係止具２ｂ、３ｂと、前記掛け布団の雌型係止具１ｂと係止させる雄型係止具２ａ、３ａを、それぞれ所定位置に取り付ける。前記雄型係止具２ａ、３ａ及び雌型係止具２ｂ、３ｂは、掛け布団１に取り付けた雄型係止具１ａ及び雌型係止具１ｂに対応した位置に同じ個数を取り付けることで使用時に肌に接触した時の違和感がなく望ましい。
【００１４】  図３は、掛け布団１の上側に相掛け布団２の重ね合わせを説明する斜視図であって、図に示すように、掛け布団１の雄型係止具１ａは相掛け布団２の雌型係止具２ｂと、前記掛け布団の雌型係止具１ｂは、前記相掛け布団の雄型係止具２ａと対応するように係止させて、掛け布団１と相掛け布団２を重ね合わせた組み合せ掛け布団である。
【００１５】  なお、図示していないが、上記図３の場合と同様に、肌掛け布団３の雄型係止具３ａは掛け布団１の雌型係止具１ｂと、前記肌掛け布団の雌型係止具３ｂは、前記掛け布団の雄型係止具１ａと対応するように係止させることで、掛け布団１と肌掛け布団３を重ね合わせた組み合わせ掛け布団として使用することができる。
【００１６】  以上説明したように、本考案は、掛け布団１と、相掛け布団２又は肌掛け布団３のいずれか一つを重ね合わせた組み合わせ掛け布団とすることができるが、肌掛け布団３の雄型係止具３ａと相掛け布団２の雌型係止具２ｂと、前記肌掛け布団の雄型係止具３ａと相掛け布団２の雌型係止具２ｂを係止させて、相掛け布団２の上側に肌掛け布団３を重ね合わせた組み合わせ掛け布団として使用することもできる（図示せず）。
【００１７】  相掛け布団は、掛け布団より綿等の詰め物の量が少なく、主に、春、秋シーズン用の掛け布団として使用され、肌掛け布団は、相掛け布団よりさらに詰め物の量が少ない掛け布団であって、主に、夏シーズン用の掛け布団として使用されるが、本考案によれば、好みに応じて掛け布団１と相掛け布団２、掛け布団１と肌掛け布団３、相掛け布団２と肌掛け布団３の自由な組み合わせができ、就寝中に前記組み合わせた掛け布団がずれ動くことなく快適に使用することができる。
【００１８】  図４は、掛け布団１を折り畳んだ状態図であって、前記掛け布団１は前記掛け布団の一方側縁Ａに備えた雄型係止具１ａと、他方側縁Ｂに備えた雌型係止具１ｂを対向するように係止させて二つ折りにすることができる。このままの状態で押入れ等に収納しても、前記雄型係止具１ａと前記雌型係止具１ｂが対向するように係止しているので、重ねた一方側縁Ａと他方側縁Ｂはずれ動くことはなく収納に便利である。もちろん、四つ折り状態に畳んでもよい。
【符号の説明】
【００１９】１  掛け布団
１ａ、２ａ、３ａ  雄型係止具
１ｂ、２ｂ、３ｂ  雌型係止具
Ａ  一方側縁
Ｂ  他方側縁
２  相掛け布団
３  肌掛け布団
【図１】
0003195539.tif 000003
【図２】
0003195539.tif 000004
【図３】
0003195539.tif 000005
【図４】
0003195539.tif 000006